(57)【要約】【課題】  ラジエータを備えた水冷式のエンジンを横向きに収容した箱型のボンネットの上部に運転座席を設置し、防塵構造の外気取り入れ口を備えた吸気ダクトをラジエータに連通接続されるようボンネットの横外側に設け、ボンネットおよび運転座席をキャビンで覆うよう構成したキャビン付き収穫機の原動部構造において、原動部の通常のメンテナンス作業を容易に行うことができるようにする。【解決手段】  吸気ダクト１７の横外端に防塵カバー２２を縦向き支点周りに揺動開閉可能に枢支連結して、吸気ダクト１７を横外方に向けて開放可能に構成するとともに、この防塵カバー２２とキャビン４の横側に配備したドア３１とを、観音開き状態に配備してある。【選択図】        図２
2006121937.tif 000002
【特許請求の範囲】
【請求項１】
ラジエータを備えた水冷式のエンジンを横向きに収容した箱型のボンネットの上部に運転座席を設置し、防塵構造の外気取り入れ口を備えた吸気ダクトをラジエータに連通接続されるようボンネットの横外側に設け、前記ボンネットおよび運転座席をキャビンで覆うよう構成したキャビン付き収穫機の原動部構造であって、
前記吸気ダクトの横外端に防塵カバーを縦向き支点周りに揺動開閉可能に枢支連結して、吸気ダクトを横外方に向けて開放可能に構成するとともに、この防塵カバーと前記キャビンの横側に配備したドアとを、観音開き状態に配備してあることを特徴とするキャビン付き収穫機の原動部構造。
【請求項２】
前記防塵カバーの遊端部の上下複数箇所を前記吸気ダクトに連結するロック機構を備えるとともに、これら複数のロック機構を同時にロック解除操作する単一のロック解除操作具を備えてある請求項１記載のキャビン付き収穫機の原動部構造。
【請求項３】
前記ロック機構およびロック解除操作具を防塵カバーに装備してある請求項２記載のキャビン付き収穫機の原動部構造。
【発明の詳細な説明】
【技術分野】
【０００１】
本発明は、キャビン付きコンバインなどのキャビン付き収穫機に利用する原動部の構造に関する。
【背景技術】
【０００２】
キャビン付きコンバインとしては、ラジエータを備えた水冷式のエンジンを横向きに収容した箱型のボンネットの上部に運転座席を設置し、防塵構造の外気取り入れ口を備えた吸気ダクトをラジエータに連通接続されるようボンネットの横外側に設け、前記ボンネットおよび運転座席をキャビンで覆うよう構成したものがある（例えば、特許文献１参照）。
【特許文献１】特開平２−１１７４２２号公報
【発明の開示】
【発明が解決しようとする課題】
【０００３】
上記のようにボンネットを回動開放可能に構成した原動部は、エンジン回りを大きく開放することができるのでエンジンの整備を行いやすいものとなっているが、通常のメンテナンスの作業性の面で改良の余地があった。つまり、原動部における通常のメンテナンス作業は、ラジエータの前面に付着したゴミの除去や冷却水の補給、などが主であり、このようなメンテナンス作業のためにボンネットを横外方に回倒して原動部を横外方に開放することになる。
【０００４】
しかし、このようにして開放された原動部にはラジエータ前面が大きく露出されることにはなるが、回動された大きいボンネットがラジエータの横外側に位置するので、作業者がラジエータの前面に立つことはできず、作業者は、回倒されたボンネットの前側や後側に立って、あるいは、キャビン内の運転ステップに乗り込み、窮屈な姿勢で手を伸ばしてラジエータ前面の除塵操作やラジエータ上部からの冷却水補給を行わねばならなかった。
【０００５】
本発明は、このような点に着目してなされたものであって、キャビン付き収穫機における原動部の通常のメンテナンス作業を容易に行うことができるようにすることを主たる目的としている。
【課題を解決するための手段】
【０００６】
第１の発明は、ラジエータを備えた水冷式のエンジンを横向きに収容した箱型のボンネットの上部に運転座席を設置し、防塵構造の外気取り入れ口を備えた吸気ダクトをラジエータに連通接続されるようボンネットの横外側に設け、前記ボンネットおよび運転座席をキャビンで覆うよう構成したキャビン付き収穫機の原動部構造であって、
前記吸気ダクトの横外端に防塵カバーを縦向き支点周りに揺動開閉可能に枢支連結して、吸気ダクトを横外方に向けて開放可能に構成するとともに、この防塵カバーと前記キャビンの横側に配備したドアとを、観音開き状態に配備してあることを特徴とする。
【０００７】
上記構成によると、防塵カバーを開放して原動部を横外方に開放すると、ラジエータ前面が大きく露出され、ラジエータ前面の清掃などのメンテナンス作業を行うことができる。この場合、揺動開放された防塵カバーは外方後方に移動するのでラジエータの前面には邪魔するものがなく、作業者はラジエータの前面に充分近づくことができる。
【０００８】
また、この場合、キャビンのドアが開放されていても、ドアはラジエータから離れた前方外方に移動しているのでメンテナンス作業には何らの支障もない。むしろ、開放されたキャビンの運転ステップにメンテナンスに用いる道具類を置くことができ、地面に置いた道具類を屈みこんで取り上げたりする煩わしさがなくなる。
【０００９】
従って、第１の発明によると、キャビン付き収穫機における原動部の通常のメンテナンス作業を容易に行うことができるようになった。
【００１０】
第２の発明は、上記第１の発明において、
前記防塵カバーの遊端部の上下複数箇所を前記吸気ダクトに連結するロック機構を備えるとともに、これら複数のロック機構を同時にロック解除操作する単一のロック解除操作具を備えてあるものである。
【００１１】
上記構成によると、閉じた防塵カバーの遊端部を上下複数のロック機構でしっかりと吸気ダクトに接続することができ、吸気もれのない外気取り入れが行われる。また、単一のロック解除操作具を操作するだけで複数箇所のロックを解除して、速やかに防塵カバーを開放することができ、取扱い性に優れたものとなっている。
【００１２】
第３の発明は、上記第２の発明において、
前記ロック機構およびロック解除操作具を防塵カバーに装備してあるものである。
【００１３】
上記構成によると、ロック解除操作具をロック解除操作した後、引続き外方に力を加えることで防塵カバーを開放することができ、操作性にも優れたものとなっている。
【発明を実施するための最良の形態】
【００１４】
図１に、キャビン付き収穫機の一例であるキャビン付きコンバインを右側から見た全体側面が示されている。このコンバインは、左右一対のクローラ走行装置１を備えた走行機体２の前部に刈取り部３が昇降自在に連結されるとともに、走行機体２の右側前部に、運転部を覆うキャビン４と、水冷式のエンジン５を収容した原動部６が搭載され、さらに、走行機体２上に脱穀装置７とアンローダ８付きの穀粒回収タンク９が左右に並んで搭載された構造となっている。
【００１５】
図２〜４に示すように、前記原動部６は、エンジン５およびその横外側に位置させたラジエータ１０を、箱型に形成されたボンネット１１で覆った構造となっており、このボンネット１１の前半部上面に運転座席１２が装着されるとともに、ボンネット１１の後半部上方に、エアークリーナ１３を収容した上部ダクト１４が連設されている。また、ボンネット１１の横外側には、防塵網１５を張った外気取り入れ口１６を備えた中空縦壁状の吸気ダクト１７が設けられ、この吸気ダクト１７の内側壁面に形成された矩形の開口１８がラジエータ１０の前面に連通接続されている。また、吸気ダクト１７の内部には、キャビン内を温度調節する空調装置のコンデンサ１９や冷媒のレシーバ２０が収容されている。
【００１６】
このように構成された原動部６では、冷却ファン２１によって外気が外気取り入れ口１６を経て吸気ダクト１７に吸入されてラジエータ１０に導かれ、ラジエータ１０を通過した冷却排風がエンジン５を周囲から冷却しながら機体内方に流出してゆく。また、吸気ダクト１７に収容されたコンデンサ１９がラジエータ冷却風を利用して冷却される。
【００１７】
前記吸気ダクト１７の外側壁は、前記外気取り入れ口１６を備えた別体の防塵カバー２２で構成されている。この防塵カバー２２は上方にまで延出されて上部ダクト１４の外端開口部が塞がれるとともに、防塵網２３を張った上部外気取り入れ口２４が形成され、防塵網２３で除塵されて上部ダクト１４に導入された外気がエアークリーナ１３で更に浄化されてエンジン５に供給されるようになっている。
【００１８】
そして、前記防塵カバー２２は、吸気ダクト１７および上部ダクト１４の後端にヒンジ２５を介して縦向き支点ｐを介して揺動開閉自在に枢支連結され、防塵カバー２２を外方後方に揺動開放することで、ラジエータ１０の前面やコンデンサ１９に付着したゴミの除去、空調用冷媒の補充、エアークリーナ１３のエレメント交換、などのメンテナンス作業を行うことができるようになっている。
【００１９】
また、閉じ状態の防塵カバー２２は、その遊端部の上下２箇所に配備されたロック機構２６によって固定されるようになっている。前記ロック機構２６は、吸気ダクト１７における前部の上下２箇所に横外方に向けて突設したループ状の掛け金具２７を把持するよう構成されたものであり、防塵カバー２２を閉じ位置まで揺動させると掛け金具２７が自動的にロック機構２６に係止把持されてロックされ、この閉じロック状態では、図３に示すように、防塵カバー２２の内面に付設した環状のシール部材２８が吸気ダクト１７の外側面に密着されて、その接合箇所からの吸気のもれが防止されるとともに、上部ダクト１４の開口端に備えたシール部材２９に防塵ケース２２の上部内面が圧接されるようになっている。
【００２０】
各ロック機構２６は、防塵カバー２２の前端辺に沿って上下動可能に装着されたロック解除操作具としての１本の操作ロッド３０によって解除操作可能となっており、防塵カバー２２の下方に突出された操作部３０ａを持って操作ロッド３０を引き下げることで、各ロック機構２６がロック付勢力に抗してロック解除操作され、ロック解除操作の後、引続き操作ロッド３０を外方に引くことで防塵カバー２２を開放することができるのである。
【００２１】
また、前記キャビン４の右側面にはドア３１がその前端のヒンジ３２を介して縦向き支点ｑ周りに揺動開閉自在に枢支連結されており、このドア３１と上記防塵カバー２２とが観音開き状に開閉されるようになっている。この構成によると、防塵カバー２２を開放してラジエータ前面でのメンテナンスを行う場合、キャビン４のドア３１を開放して、キャビン４内の運転ステップにメンテナンスに用いる道具を置くことで、道具類を屈みこんで取り上げたりする煩わしさがなくなる。
【００２２】
〔他の実施例〕
【００２３】
（１）防塵カバー２２の閉じロック手段は上記構造に限られるものではなく、例えば、掛け金具２７を防塵カバー２２側に設けるとともに、ロック機構２６および操作ロッド３０を吸気ダクト１７側に装着する形態で実施することもできる。また、簡易には、防塵カバー２２の遊端側の上下複数箇所をノブ付きボルトで吸気ダクト１７締め込み固定する構造を利用することもできる。
【００２４】
（２）図５に示すように、上記原動部６をキャビン４を備えない仕様の機種に装備する場合には、図６に示すように、吸気ダクト１７を備えた上記構成のボンネット１１を、その外端下部の支点ｘを中心に横外方に回倒可能にして実施することもできる。これによると、ラジエータ１０の清掃やエアークリーナ１３のエレメント交換、などの通常のメンテナンスは防塵カバー２２を開放して行い、エンジン５や周辺機器の整備などの大掛かりなメンテナンス作業はボンネット１１を回倒して行うことができる。
【図面の簡単な説明】
【００２５】
【図１】キャビン付きコンバインの全体側面図
【図２】防塵カバーおよびドアを開放した状態のキャビン周辺を示す側面図
【図３】原動部の一部を示す縦断正面図
【図４】原動部の一部を示す横断平面図
【図５】キャビンなし仕様に適用したコンバインの全体側面図
【図６】キャビンなし仕様における原動部の正面図
【符号の説明】
【００２６】
４              キャビン
５              エンジン
６              原動部
１０            ラジエータ
１１            ボンネット
１２            運転座席
１６            外気取入れ口
１７            吸気ダクト
２２            防塵カバー
２６            ロック機構
３０            ロック解除操作具
３１            ドア
【図１】
2006121937.tif 000003
【図２】
2006121937.tif 000004
【図３】
2006121937.tif 000005
【図４】
2006121937.tif 000006
【図５】
2006121937.tif 000007
【図６】
2006121937.tif 000008